(57)【要約】【課題】部品点数を低減させる。【解決手段】インクジェットプリンタ１は、回転ファン５の回転羽根を回転させることで、搬送ベルト８の用紙吸着領域の外周面８ａに用紙Ｐを吸着させるとともに、搬送ベルト８のミスト吸引領域にある孔から大気中に残存するミストを吸引する。ミスト吸引領域にある孔の単位区域あたりの合計開口面積の最大値は、用紙吸着領域にある孔の単位区域あたりの合計開口面積の最大値よりも大きくなっており、ミスト吸引領域では用紙吸着領域に比べてミストを効果的に吸引する。【選択図】図１
2010023375.tif 000002
【特許請求の範囲】
【請求項１】
液滴を吐出して記録媒体に画像を記録する記録ヘッドと、
前記記録ヘッドに対向し、記録媒体を吸着させるための複数の第１孔が形成された媒体吸着領域と、ミストを吸引するための第２孔が形成されたミスト吸引領域とを有し、前記媒体吸着領域に吸着された記録媒体を搬送方向に搬送する搬送ベルトと、
前記複数の第１孔及び前記第２孔に、前記搬送ベルトの内側へ向かって通過する空気の流れを生じさせる減圧装置と、を備えており、
前記搬送方向の長さが前記搬送方向に隣接する２つの前記第１孔間の距離に等しく且つ前記搬送方向と直交する方向への長さが前記搬送ベルトの幅に等しい仮想的な単位区域を前記ミスト吸引領域内で移動させた場合における前記単位区域内にある前記第２孔の合計開口面積の最大値が、前記単位区域を前記媒体吸着領域内で移動させた場合における前記単位区域内にある前記第１孔の合計開口面積の最大値よりも大きいことを特徴とする画像記録装置。
【請求項２】
前記ミスト吸引領域に形成された前記第２孔の径は、前記媒体吸着領域に形成された前記第１孔の径よりも大きいことを特徴とする請求項１に記載の画像記録装置。
【請求項３】
前記第２孔の径は、前記第１孔の径以下であり、
前記ミスト吸引領域に形成された前記搬送方向に直交する方向に沿った１列当たりの前記第２孔の数は、前記媒体吸着領域に形成された前記搬送方向に直交する方向に沿った１列当たりの前記第１孔の数よりも多く、
前記１列当たりの前記第２孔の合計開口面積は、前記１列当たりの前記第１孔の合計開口面積よりも大きいことを特徴とする請求項１または２に記載の画像記録装置。
【請求項４】
前記搬送ベルトの前記媒体吸着領域と前記ミスト吸引領域との間には、前記搬送ベルトの全幅において、前記搬送ベルトの周方向に沿って、前記搬送方向に隣接する２つの前記第１孔間の距離より長い長さに亘って開口面積がゼロの領域が形成されていることを特徴とする請求項１〜３のいずれか１項に記載の画像記録装置。
【請求項５】
前記ミスト吸引領域での前記第２孔の合計開口面積は、前記媒体吸着領域での前記複数の第１孔の合計開口面積よりも大きくなっていることを特徴とする請求項１〜４のいずれか１項に記載の画像記録装置。
【請求項６】
前記搬送ベルト及び前記減圧装置を制御する制御手段をさらに備えており、
前記制御手段は、前記減圧装置を作動させた状態で、前記ミスト吸引領域と前記記録ヘッドとを対向させて、前記搬送ベルトの走行を停止させることを特徴とする請求項５に記載の画像記録装置。
【発明の詳細な説明】
【技術分野】
【０００１】
本発明は、画像を記録する画像記録装置に関する。
【背景技術】
【０００２】
従来、画像記録装置であるプリンタの記録ヘッドからインクが吐出されると、大部分はインク液滴として記録媒体に着弾するが、その一部は微小なインクミストとして大気中に残存していた。例えば、インクミストは記録媒体の搬送ベルトに付着してしまうことがあり、そのインクミストが付着した領域上に記録媒体が載置されることで記録媒体の裏面を汚してしまうことがあった。そこで、特許文献１には、ダクトと、ダクト内にインクミストを吸入するファンと、インクミストを捕集するフィルタとからなり、記録ヘッドが放出したインクミストを吸引するミスト回収部を有するプリンタについて記載されている。このプリンタにおいては、ダクトの吸引部が記録ヘッドの搬送方向下流側に配置されており、ファンが回転することで吸引部からインクミストが吸引されて、フィルタに捕集される。
【０００３】
【特許文献１】特開２００５−２７１３１４号公報（図１）
【発明の開示】
【発明が解決しようとする課題】
【０００４】
しかしながら、特許文献１に記載のプリンタは、インクミストを吸引する目的だけにミスト回収部を設けており、部品点数が増加してしまう。
【０００５】
そこで、本発明の目的は、部品点数を低減させた画像記録装置を提供することにある。
【課題を解決するための手段】
【０００６】
本発明の画像記録装置は、液滴を吐出して記録媒体に画像を記録する記録ヘッドと、前記記録ヘッドに対向し、記録媒体を吸着させるための複数の第１孔が形成された媒体吸着領域と、ミストを吸引するための第２孔が形成されたミスト吸引領域とを有し、前記媒体吸着領域に吸着された記録媒体を搬送方向に搬送する搬送ベルトと、前記複数の第１孔及び前記第２孔に、前記搬送ベルトの内側へ向かって通過する空気の流れを生じさせる減圧装置と、を備えている。前記搬送方向の長さが前記搬送方向に隣接する２つの前記第１孔間の距離に等しく且つ前記搬送方向と直交する方向への長さが前記搬送ベルトの幅に等しい仮想的な単位区域を前記ミスト吸引領域内で移動させた場合における前記単位区域内にある前記第２孔の合計開口面積の最大値が、前記単位区域を前記媒体吸着領域内で移動させた場合における前記単位区域内にある前記第１孔の合計開口面積の最大値よりも大きい。
【０００７】
本発明の画像記録装置によると、搬送ベルトの媒体吸着領域への記録媒体の吸着に用いる減圧装置をミストの吸引にも用いることができる。したがって、新たにミストの吸引手段を設ける必要がなく、部品点数を低減することができる。また、ミスト吸引領域の第２孔の単位区域あたりの合計開口面積の最大値が、媒体吸着領域の第１孔の単位区域あたりの合計開口面積の最大値よりも大きいため、ミストを効果的に吸引することができる。
【０００８】
また、前記ミスト吸引領域に形成された前記第２孔の径は、前記媒体吸着領域に形成された前記第１孔の径よりも大きいことが好ましい。これによると、第２孔の数を増やして合計開口面積を増やす場合に比べて、隣接する２つの第２孔間を長くできるため、搬送ベルトのよじれを低減することができる。
【０００９】
さらに、前記第２孔の径は、前記第１孔の径以下であり、前記ミスト吸引領域に形成された前記搬送方向に直交する方向に沿った１列当たりの前記第２孔の数は、前記媒体吸着領域に形成された前記搬送方向に直交する方向に沿った１列当たりの前記第１孔の数よりも多く、前記１列当たりの前記第２孔の合計開口面積は、前記１列当たりの前記第１孔の合計開口面積よりも大きいことが好ましい。これによると、第２孔の径を大きくして合計開口面積を増やす場合に比べて、第２孔に記録媒体の破れた紙片が入りにくくなる。
【００１０】
加えて、前記搬送ベルトの前記媒体吸着領域と前記ミスト吸引領域との間には、前記搬送ベルトの全幅において、前記搬送ベルトの周方向に沿って、前記搬送方向に隣接する２つの前記第１孔間の距離より長い長さに亘って開口面積がゼロの領域が形成されていることが好ましい。これによると、記録動作中に、ミスト吸引による気流の影響を受けにくいため、画質が向上する。
【００１１】
また、前記ミスト吸引領域での前記第２孔の合計開口面積は、前記媒体吸着領域での前記複数の第１孔の合計開口面積よりも大きくなっていることが好ましい。これによると、ミスト吸引領域の第２孔の合計開口面積が、媒体吸着領域の第１孔の合計開口面積よりも大きいため、ミストをたくさん吸引することができる。
【００１２】
さらに、前記搬送ベルト及び前記減圧装置を制御する制御手段をさらに備えており、前記制御手段は、前記減圧装置を作動させた状態で、前記ミスト吸引領域と前記記録ヘッドとを対向させて、前記搬送ベルトの走行を停止させることことが好ましい。これによると、記録動作終了後などの搬送ベルトの走行を停止させた状態において大気中に残存したミストを吸引することができる。
【発明を実施するための最良の形態】
【００１３】
＜第１実施形態＞
以下、本発明の好適な第１実施形態について、図面を参照しつつ説明する。本実施形態は、用紙にインクを吐出して文字や画像などを記録するインクジェットプリンタに本発明を適用した一例である。
【００１４】
図１は、本発明の第１実施形態に係るインクジェットプリンタの概略構成図である。図２は、図１に示す搬送ベルトの用紙吸着領域の平面図である。図３は、図１に示す搬送ベルトのミスト吸引領域の平面図である。
【００１５】
図１に示すように、画像記録装置であるインクジェットプリンタ１は、４つのインクジェットヘッド２と、ベルト搬送装置３とを有するカラーインクジェットプリンタである。また、インクジェットプリンタ１は、インクジェットプリンタ１を制御するための制御部６０（図４参照）を有している。
【００１６】
４つのインクジェットヘッド２は、４色のインク（マゼンタ、イエロー、シアン、ブラック）に対応して、記録媒体である用紙Ｐの搬送方向（図１の矢印方向）に沿って４つ並べて設けられている。つまり、このインクジェットプリンタ１はライン式プリンタである。
【００１７】
４つのインクジェットヘッド２は、後述する搬送ベルト８の外周面８ａのうち、用紙Ｐの搬送方向に移動する面と平行で、搬送方向と直交した幅方向（図１の紙面垂直方向）に長尺な直方体形状となっている。このインクジェットヘッド２の底面は、後述する搬送ベルト８の外周面８ａと対向している。
【００１８】
４つのインクジェットヘッド２は、後述する用紙吸着領域２０の外周面８ａを搬送される用紙Ｐがすぐ下方を通過する際に、この用紙Ｐの上面に向かって図示しないノズルから各色のインクを吐出して、用紙Ｐに対して所望のカラー画像を記録する。
【００１９】
ベルト搬送装置３は、図１中左方に給紙部１１と、図１中右方に排紙部１２とを有しており、給紙部１１から排紙部１２に向かって用紙Ｐを搬送方向に搬送する。給紙部１１のすぐ下流側には、用紙Ｐを挟持しながら搬送する一対の送りローラ９ａ、９ｂが配置されている。一対の送りローラ９ａ、９ｂによって用紙Ｐは図１中左方から右方へ送られる。
【００２０】
また、ベルト搬送装置３は、互いに平行な回転軸を有する一対のベルトローラ１３、１４と、一対のベルトローラ１３、１４に巻き掛けられており、一対のベルトローラ１３、１４の回転に伴って後述する用紙吸着領域２０の外周面８ａに載置された用紙Ｐを搬送方向に搬送するエンドレスの搬送ベルト８とを有している。
【００２１】
搬送ベルト８は、用紙吸着領域２０と、ミスト吸引領域２１とを有している。用紙吸着領域２０は、図２に示すように、搬送ベルト８の幅方向全幅において、搬送ベルト８の周方向に沿って用紙Ｐの搬送方向長さよりも長く、後述する空間Ａの搬送方向長さよりも短い領域だけ形成されている。用紙吸着領域２０には、幅方向に沿って配列された孔２０ａ（第１孔）の列が搬送方向に複数配置されている。用紙Ｐは、この用紙吸着領域２０の外周面８ａに載置されて搬送方向に搬送される。
【００２２】
ミスト吸引領域２１は、図３に示すように、搬送ベルト８の幅方向全幅において、搬送ベルト８の周方向に沿って用紙吸着領域２０と同様の長さだけ形成されている。ミスト吸引領域２１には、幅方向に沿って孔２０ａと同様の間隔で配列された孔２０ａより径が大きな孔２１ａ（第２孔）の列が孔２０ａと同様の間隔で搬送方向に複数配置されている。つまり、ミスト吸引領域２１にある孔２１ａの合計開口面積は、用紙吸着領域２０にある孔２０ａの合計開口面積よりも大きくなっている。ミスト吸引領域２１の孔２１ａは、後述する回転ファン５の回転羽根の回転により、インクジェットヘッド２の周囲を含む大気中に残存するミストを吸引する。このとき、ミスト吸引領域２１にある孔２１ａの合計開口面積は、用紙吸着領域２０にある孔２０ａの合計開口面積よりも大きくなっているため、ミストをたくさん吸引することができる。
【００２３】
また、ここで、搬送方向の長さが搬送方向に隣接する２つの孔２０ａ間の距離に等しく、且つ、幅方向への長さが搬送ベルト８の幅に等しい仮想的な区域（図２の斜線で示す区域）を単位区域２２とする。このとき、ミスト吸引領域２１内で移動させた場合における単位区域２２内にある孔２１ａの合計開口面積の最大値は、単位区域２２を用紙吸着領域２０内で移動させた場合における単位区域２２内にある孔２０ａの合計開口面積の最大値よりも大きくなっている。
【００２４】
つまり、ミスト吸引領域２１にある孔２１ａの単位区域２２あたりの合計開口面積の最大値は、用紙吸着領域２０にある孔２０ａの単位区域２２あたりの合計開口面積の最大値よりも大きいため、ミスト吸引領域２１では用紙吸着領域２０に比べてミストを効果的に吸引することができる。また、このとき、ミスト吸引領域２１の孔２１ａの径を用紙吸着領域２０の孔２０ａの径より大きくして、ミスト吸引領域２１にある孔２１ａの合計開口面積を増やしているため、ミスト吸引領域２１の孔２１ａの数を増やして合計開口面積を増やす場合に比べて、隣接する２つの孔２１ａ間を長くでき、搬送ベルト８のよじれを低減することができる。
【００２５】
また、用紙吸着領域２０とミスト吸引領域２１との間には、搬送ベルト８の全幅において、搬送ベルト８の周方向に沿って、搬送方向に隣接する２つの孔２０ａの距離より長い長さに亘って孔のない開口面積がゼロの無孔領域が形成されている。本実施形態においては、搬送ベルト８に無孔領域が形成されていることで、用紙吸着領域２０がインクジェットヘッド２と対向しているときに、ミスト吸引領域２１は鉛直方向に沿って用紙吸着領域２０と重なる位置に配置される。
【００２６】
ベルトローラ１３は、搬送モータ７４（図４参照）から駆動力が与えられ、時計回りに回転する駆動ローラである。ベルトローラ１４は、ベルトローラ１３の回転に伴って搬送ベルト８から付与される回転力によって従動回転する。搬送ベルト８は、一対のベルトローラ１３、１４の回転に伴って搬送方向に走行する。
【００２７】
搬送ベルト８が走行することで、４つのインクジェットヘッド２は、用紙吸着領域２０、無孔領域、ミスト吸引領域２１、無孔領域の順にそれぞれ対向する。このように、用紙吸着領域２０とミスト吸引領域２１との間に無孔領域を形成することで、記録動作中に、その搬送方向両側におけるミスト吸引による気流の影響によりインクジェットヘッド２から吐出されたインクの飛翔方向が変わりにくいため、画質が向上する。
【００２８】
また、ベルトローラ１３の回転軸にはエンコーダ１５（図４参照）が設けられている。エンコーダ１５は、ベルトローラ１３の回転位置を検出する。このエンコーダ１５によって検出されたベルトローラ１３の回転位置によって、後述する位置取得部６４が、搬送ベルト８に形成された用紙吸着領域２０及びミスト吸引領域２１の搬送方向に関する位置を取得する。
【００２９】
給紙部１１から送りローラ９ａ、９ｂによって送り出された用紙Ｐは、ベルトローラ１４と対向する押さえローラ１６によって搬送ベルト８の用紙吸着領域２０の外周面８ａに押さえ付けられる。押さえローラ１６によって外周面８ａに押さえ付けられた用紙Ｐは、ベルトローラ１３の時計回りの回転駆動による搬送ベルト８の走行に伴って、搬送方向下流（図１の右方）に搬送される。そして、搬送ベルト８のすぐ下流側の剥離機構１７によって外周面８ａから剥離されて排紙部１２に送られる。
【００３０】
図１に戻って、搬送ベルト８によって囲まれた内側領域内には、鉛直方向（インクジェットヘッド２と搬送ベルト８とが対向する方向）に沿って上方から順にプラテン１９及び２つの回転ファン５（減圧装置）が配置されている。
【００３１】
また、搬送ベルト８によって囲まれた内側領域内には、搬送ベルト８の内周面の一部との間でプラテン１９及び２つの回転ファン５を内部に収容した空間Ａを画定する封止板２５が配置されている。封止板２５には、２つの回転ファン５の下面を露出させる開口が形成されている。
【００３２】
プラテン１９は、搬送ベルト８の幅と同様の幅を有しており、一対のベルトローラ１３、１４間に亘って延在しており、搬送ベルト８の外周面８ａと反対の面に接触することで搬送ベルト８を支持している。プラテン１９には、図示しない孔が複数形成されている。
【００３３】
回転ファン５は、略直方体形状であり、内部に設けられた回転羽根が回転することによって、空間Ａ内の空気を吸引する。すると、空間Ａ内は減圧され、空間Ａを画定する搬送ベルト８に形成された複数の孔２０ａ及び孔２１ａ、並びに、プラテン１９の図示しない孔を通過して空間Ａ内に向かって通過する空気の流れが生じる。そして、流れ込んだ空気は、回転ファン５の下面から封止板２５の開口を介して排出される。
【００３４】
この空気の流れによって、用紙吸着領域２０が搬送ベルト８の走行に伴いインクジェットヘッド２と対向すると、この用紙吸着領域２０の外周面８ａに載置された用紙Ｐが外周面８ａに吸着される。また、ミスト吸引領域２１が搬送ベルト８の走行に伴いインクジェットヘッド２と対向すると、大気中に残存するミストがミスト吸引領域２１にある孔２１ａから吸引される。
【００３５】
次に、インクジェットプリンタ１の制御系について、図４を参照して説明する。図４は、本発明の第１実施形態に係るインクジェットプリンタの制御構成を示す概略ブロック図である。インクジェットプリンタ１に含まれる制御部６０は、演算処理装置であるＣＰＵ（Central Processing Unit）と、ＣＰＵが実行する制御プログラム及び制御プログラムに使用されるデータが記憶されているＲＯＭ（Read Only Memory）と、プログラム実行時にデータを一時記憶するためのＲＡＭ（Random Access Memory）とから構成されている。
【００３６】
制御部６０は、図４に示すように、ヘッド制御部６１、搬送制御部６２、ベルトローラ制御部６３、位置取得部６４及び減圧制御部６５を有している。
【００３７】
ヘッド制御部６１は、制御部６０がＰＣ８０（パーソナルコンピュータ）からの印刷信号を受信したときに、ヘッド駆動回路７１を制御して対応するインクジェットヘッド２からインクを吐出させて、用紙Ｐへ画像などの記録を行わせる。
【００３８】
搬送制御部６２は、制御部６０がＰＣ８０からの印刷信号を受信したときに、送りモータ７２を駆動して、両送りローラ９ａ、９ｂを回転させることで、用紙Ｐを搬送ベルト８の用紙吸着領域２０の外周面８ａ上に供給するように、モータドライバ７３を制御する。
【００３９】
ベルトローラ制御部６３は、搬送制御部６２の制御により用紙Ｐが搬送ベルト８の用紙吸着領域２０の外周面８ａ上に供給されたときに、搬送モータ７４を駆動して、ベルトローラ１３を回転させることで、搬送ベルト８を走行させて、外周面８ａ上の用紙Ｐを搬送方向に搬送するようにモータドライバ７５を制御する。
【００４０】
位置取得部６４は、エンコーダ１５によって検出されたベルトローラ１３の回転位置から、搬送ベルト８の用紙吸着領域２０及びミスト吸引領域２１に関する位置を取得する。この位置取得部６４によって搬送ベルト８の用紙吸着領域２０が給紙部１１近傍に位置することが取得されると、搬送制御部６２により用紙Ｐが供給されることで、用紙吸着領域２０の外周面８ａ上に用紙Ｐが載置される。
【００４１】
減圧制御部６５は、回転モータ７８を駆動して、回転ファン５の回転羽根を回転させて、空間Ａ内を減圧させるようにモータドライバ７９を制御する。
【００４２】
インクジェットプリンタ１は、減圧制御部６５により回転ファン５の回転羽根を回転させて空間Ａ内を減圧させることで、用紙吸着領域２０の外周面８ａに吸着されて搬送される用紙Ｐがインクジェットヘッド２のすぐ下方を通過する際に、この用紙Ｐの上面に向かって図示しないノズルから各色のインクを吐出して、用紙Ｐに対して所望のカラー画像を記録する。
【００４３】
また、インクジェットプリンタ１は、用紙Ｐへの記録動作が完了し、次の用紙Ｐへの記録動作を行おうとしたときに、走行する搬送ベルト８の用紙吸着領域２０に用紙Ｐを載置させる前に、ミスト吸引領域２１がインクジェットヘッド２と対向する。このとき、用紙吸着領域２０への用紙Ｐの吸着の際と同様に、吸着減圧制御部６５により回転ファン５の回転羽根を回転させて空間Ａ内を減圧させた状態を維持していることで、インクジェットプリンタ１が、ミスト吸引領域２１にある孔２１ａからインクジェットヘッド２の周囲を含む大気中に残存するミストを吸引する。
【００４４】
さらに、用紙Ｐへの記録動作が完了し、次の用紙Ｐへの記録動作がない場合などにおいて、インクジェットプリンタ１は、搬送制御部６２により搬送ベルト８を走行させてミスト吸引領域２１をインクジェットヘッド２と対向させた状態で搬送ベルト８を停止させる。そして、減圧制御部６５により回転ファン５の回転羽根を回転させて空間Ａ内を減圧させることで、記録動作終了後などにミスト吸引領域２１にある孔２１ａからインクジェットヘッド２の周囲を含む大気中に残存したミストを吸引することができる。
【００４５】
上述した第１実施形態に係るインクジェットプリンタ１によると、搬送ベルト８の用紙吸着領域２０への用紙Ｐの吸着に用いる回転ファン５をミストの吸引にも用いることができる。したがって、新たにミストの吸引手段を設ける必要がなく、部品点数を低減することができる。
【００４６】
＜第２実施形態＞
次に、第２実施形態について説明する。図５は、第２実施形態に係る搬送ベルトのミスト吸引領域の平面図である。第２実施形態は、第１実施形態における搬送ベルト８のミスト吸引領域２１がミスト吸引領域２２１となっているだけで、それ以外の構成は第１実施形態と同様である。なお、第１実施形態と同様なものについては、同符号で示し説明を省略する。
【００４７】
図５に示すように、ミスト吸引領域２２１は、搬送ベルト８の幅方向全幅において、搬送ベルト８の周方向に沿って用紙吸着領域２０と同様の長さだけ形成されている。ミスト吸引領域２２１には、幅方向に沿って孔２０ａよりも狭い間隔で配列された孔２０ａと同径の孔２２１ａの列が孔２０ａと同様の間隔で搬送方向に複数配置されている。
【００４８】
つまり、ミスト吸引領域２２１に形成された幅方向に沿った１列当たりの孔２２１ａの数は、用紙吸着領域２０に形成された幅方向に沿った１列当たりの孔２０ａの数よりも多くなっている。そして、ミスト吸引領域２２１に形成された１列当たりの孔２２１ａの合計開口面積は、用紙吸着領域２０に形成された１列当たりの孔２０ａの合計開口面積よりも大きくなっている。ミスト吸引領域２２１の孔２２１ａは、回転ファン５の回転羽根の回転により、用紙吸着領域２０の孔２０ａに比べて、インクジェットヘッド２の周囲を含む大気中に残存するミストをたくさん吸引することができる。また、第１実施形態のミスト吸引領域２１にある孔２１ａのように径を大きくして合計開口面積を増やす場合に比べて、第２実施形態のミスト吸引領域２２１にある孔２２１ａでは、その径が小さいため用紙Ｐの破れた紙片が入りにくくなる。
【００４９】
次に、上述した本実施形態に種々の変更を加えた変形例について説明する。上述した第１及び第２実施形態においては、用紙吸着領域とミスト吸引領域との間に、無孔領域が形成されていたが、無孔領域は形成されていなくてもよい。
【００５０】
また、上述した第１及び第２実施形態において、ミスト吸引領域には、幅方向に沿って配列された孔の列が搬送方向に複数配置されており、この列の数は用紙吸着領域に形成された孔の列数と同数であったが、この搬送方向に並んだ列数は、１列であってもよいし、それ以上の任意の列数であってもよい。たとえ１列だけであっても、搬送ベルト８が走行することで、この孔が形成されたミスト吸引領域の位置は搬送ベルトの走行により移動するため、大気中に残存するミストを吸引することができる。このとき、用紙吸着領域に形成された孔よりもミスト吸引領域に形成された孔の方がより多くのミストを吸引可能とするため、ミスト吸引領域の単位区域あたりの孔の合計開口面積の方が、用紙吸着領域の単位区域あたりの孔の合計開口面積よりも大きい必要がある。
【００５１】
さらに、ミスト吸引領域に形成された孔は複数に限らず、１つであってもよいし、任意の数であってもよい。このとき、用紙吸着領域にある孔よりもミスト吸引領域にある孔の方がより多くのミストを吸引可能とするため、ミスト吸引領域の単位区域あたりの孔の合計開口面積の方が、用紙吸着領域の単位区域あたりの孔の合計開口面積よりも大きい必要がある。
【００５２】
また、上述した第１及び第２実施形態においては、用紙吸着領域２０は、搬送ベルト８の幅方向全幅において、搬送ベルト８の周方向に沿って用紙Ｐの搬送方向長さよりも長く、空間Ａの搬送方向長さよりも短い領域だけ形成されていたが、空間Ａの搬送方向長さよりも長い領域に亘って形成されていてもよい。このとき、回転ファン５により空間Ａ内の空気を吸引したときに有効となる用紙吸着領域２０にある孔２０ａは空間Ａの搬送方向長さ分だけとなる。なお、搬送ベルト８の幅方向全幅において、空間Ａの搬送方向長さを比較したときに、ミスト吸引領域２１にある孔２１ａの合計開口面積は、用紙吸着領域２０にある孔２０ａの合計開口面積よりも大きくなっている。
【００５３】
さらに、上述した第２実施形態においては、ミスト吸引領域にある孔の径は用紙吸着領域にある孔の径と同径であったが、用紙吸着領域にある孔の径よりも小さくてもよい。このとき、ミスト吸引領域に形成された幅方向に沿った１列当たりの孔の合計開口面積が、用紙吸着領域に形成された幅方向に沿った１列当たりの孔の合計開口面積よりも大きくなっていればよい。
【００５４】
また、本発明は、上述の実施形態のようなインクジェットプリンタに限定されず、画像記録装置であれば、様々な装置に適用可能である。
【図面の簡単な説明】
【００５５】
【図１】本発明の第１実施形態に係るインクジェットプリンタの概略構成図である。
【図２】図１に示す搬送ベルトの用紙吸着領域の平面図である。
【図３】図１に示す搬送ベルトのミスト吸引領域の平面図である。
【図４】本発明の第１実施形態に係るインクジェットプリンタの制御構成を示す概略ブロック図である。
【図５】第２実施形態に係る搬送ベルトのミスト吸引領域の平面図である。
【符号の説明】
【００５６】
１  インクジェットプリンタ
２  インクジェットヘッド
５  回転ファン
８  搬送ベルト
２０  用紙吸着領域
２０ａ、２１ａ、２２１ａ  孔
２１、２２１  ミスト吸引領域
２２  単位区域
６０  制御部
【図１】
2010023375.tif 000003
【図２】
2010023375.tif 000004
【図３】
2010023375.tif 000005
【図４】
2010023375.tif 000006
【図５】
2010023375.tif 000007